(57)【要約】  通信制御方法は、自セルをオフしようとするｅＮＢ２００−２と、ｅＮＢ２００−２のセルを補完するためのセル拡張を行うべきｅＮＢ２００−３と、を有する移動通信システムにおいて用いられる。通信制御方法は、ｅＮＢ２００−２が、自セルをオフするよりも前において、ＵＥ１００−１の受け入れを要求するＨａｎｄｏｖｅｒ  Ｒｅｑｕｅｓｔを受信するステップと、ｅＮＢ２００−２が、Ｈａｎｄｏｖｅｒ  Ｒｅｑｕｅｓｔを了承する場合に、ｅＮＢ２００−３に対して、ＵＥ１００−１との接続を確立するために必要な接続設定の実施を要求するＰｒｅＨａｎｄｏｖｅｒ  Ｒｅｑｕｅｓｔを送信するステップと、を備える。
2015080039.tif 000002
【特許請求の範囲】
【請求項１】
自セルをオフしようとするオフ対象基地局と、前記オフ対象基地局のセルを補完するためのセル拡張を行うべき拡張対象基地局と、を有する移動通信システムにおいて用いられる通信制御方法であって、
前記オフ対象基地局が、自セルをオフするよりも前において、ユーザ端末の受け入れを要求するハンドオーバ要求を受信するステップと、
前記オフ対象基地局が、前記ハンドオーバ要求を了承する場合に、前記拡張対象基地局に対して、前記ユーザ端末との接続を確立するために必要な接続設定の実施を要求する事前ハンドオーバ要求を送信するステップと、を備えることを特徴とする通信制御方法。
【請求項２】
前記事前ハンドオーバ要求を受信した前記拡張対象基地局が、前記事前ハンドオーバ要求を了承する場合に、前記接続設定を実施するステップと、
前記接続設定に係る接続設定情報を含んだ事前ハンドオーバ肯定応答を前記拡張対象基地局から前記オフ対象基地局に対して送信するステップと、をさらに備えることを特徴とする請求項１に記載の通信制御方法。
【請求項３】
前記拡張対象基地局で実施する前記接続設定は、前記ユーザ端末に対するＣ−ＲＮＴＩの割り当てを含み、
前記接続設定情報は、前記ユーザ端末に対して割り当てられた前記Ｃ−ＲＮＴＩを含むことを特徴とする請求項２に記載の通信制御方法。
【請求項４】
前記事前ハンドオーバ肯定応答を受信した前記オフ対象基地局が、前記オフ対象基地局への前記ユーザ端末のハンドオーバ後において、前記接続設定情報を含んだ事前接続通知を前記ユーザ端末に対して送信するステップをさらに備えることを特徴とする請求項２に記載の通信制御方法。
【請求項５】
前記オフ対象基地局のセルをオフする際に、前記拡張対象基地局が前記セル拡張を開始するステップと、
前記事前接続通知を受信した前記ユーザ端末が、前記接続設定情報に基づいて、前記セル拡張を開始した前記拡張対象基地局との同期をとることにより前記拡張対象基地局へ接続を切り替えるステップと、をさらに備えることを特徴とする請求項４に記載の通信制御方法。
【請求項６】
前記オフ対象基地局への前記ユーザ端末のハンドオーバの際に、前記ユーザ端末に対するデータパスの事前切り替えのためのデータパス事前切り替え要求を前記オフ対象基地局から前記拡張対象基地局に対して送信するステップと、
前記データパス事前切り替え要求を受信した前記拡張対象基地局が、前記拡張対象基地局とコアネットワークとの間に前記データパスを設定するためのデータパス切り替え要求を前記コアネットワークに対して送信するステップと、をさらに備えることを特徴とする請求項１に記載の通信制御方法。
【請求項７】
前記オフ対象基地局が、前記拡張対象基地局に対して、自セルをオフする予定であることを示すオフ予告通知を送信するステップと、
前記オフ予告通知を受信した前記拡張対象基地局が、前記オフ対象基地局のセルをオフするタイミングを推定するための第１のタイマを起動するステップと、をさらに備え、
前記第１のタイマの満了時に、前記拡張対象基地局が前記セル拡張を開始することを特徴とする請求項１に記載の通信制御方法。
【請求項８】
前記オフ予告通知を受信した前記拡張対象基地局が、前記接続設定を解放するタイミングを決定するための第２のタイマを起動するステップと、
前記第２のタイマの満了時に、前記ユーザ端末が前記拡張対象基地局への接続切り替えを行っていない場合に、前記接続設定を解放するステップと、をさらに備えることを特徴とする請求項７に記載の通信制御方法。
【請求項９】
自セルをオフしようとするオフ対象基地局と、前記オフ対象基地局のセルを補完するためのセル拡張を行うべき拡張対象基地局と、を有する移動通信システムにおいて、前記オフ対象基地局に該当する基地局であって、
自セルをオフするよりも前において、ユーザ端末の受け入れを要求するハンドオーバ要求を受信する受信部と、
前記ハンドオーバ要求を了承する場合に、前記拡張対象基地局に対して、前記ユーザ端末との接続を確立するために必要な接続設定の実施を要求する事前ハンドオーバ要求を送信する送信部と、を備えることを特徴とする基地局。
【発明の詳細な説明】
【技術分野】
【０００１】
本発明は、移動通信システムにおいて用いられる通信制御方法及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ネットワークの消費電力を削減する省電力（エナジーセービング）技術が導入されている（例えば、非特許文献１参照）。例えば、通信トラフィックの少ない夜間などにおいて、基地局が管理しているセルをオフ（Ｄｅａｃｔｉｖａｔｅ）する。【０００３】
また、３ＧＰＰでは、リリース１２以降において、改良されたエナジーセービング技術が導入される予定である。例えば、一のセルをオフする場合に、近隣の他セルの送信電力を上昇させる。これにより、当該他セルのカバレッジを拡張（セル拡張）し、オフされるセルのカバレッジを補完（すなわち、エリア補完）することができる。
【先行技術文献】
【非特許文献】
【０００４】
【非特許文献１】３ＧＰＰ技術報告書  「ＴＲ  ３６．９２７  Ｖ１１．０．０」  ２０１２年９月
【発明の概要】
【０００５】
ここで、自セルをオフしようとするオフ対象基地局に対して、ユーザ端末のハンドオーバを行うケースを想定する。
【０００６】
このようなケースでは、オフ対象基地局が自セルをオフする際に、オフ対象基地局から、セル拡張を行う拡張対象基地局に対して、改めて当該ユーザ端末のハンドオーバを行うことが考えられる。
【０００７】
しかしながら、このような方法では、オフ対象基地局から拡張対象基地局へのハンドオーバが間に合わずに、ユーザ端末において通信断が生じる虞がある。また、上述したようなハンドオーバの繰り返しは、ハンドオーバに伴うシグナリングの増大を引き起こす。
【０００８】
そこで、本発明は、エナジーセービング技術が導入された場合のハンドオーバを効率化することができる通信制御方法及び基地局を提供することを目的とする。
【０００９】
第１の特徴に係る通信制御方法は、自セルをオフしようとするオフ対象基地局と、前記オフ対象基地局のセルを補完するためのセル拡張を行うべき拡張対象基地局と、を有する移動通信システムにおいて用いられる。前記通信制御方法は、前記オフ対象基地局が、自セルをオフするよりも前において、ユーザ端末の受け入れを要求するハンドオーバ要求を受信するステップと、前記オフ対象基地局が、前記ハンドオーバ要求を了承する場合に、前記拡張対象基地局に対して、前記ユーザ端末との接続を確立するために必要な接続設定の実施を要求する事前ハンドオーバ要求を送信するステップと、を備える。
【００１０】
第２の特徴に係る基地局は、自セルをオフしようとするオフ対象基地局と、前記オフ対象基地局のセルを補完するためのセル拡張を行うべき拡張対象基地局と、を有する移動通信システムにおいて、前記オフ対象基地局に該当する。前記基地局は、自セルをオフするよりも前において、ユーザ端末の受け入れを要求するハンドオーバ要求を受信する受信部と、前記ハンドオーバ要求を了承する場合に、前記拡張対象基地局に対して、前記ユーザ端末との接続を確立するために必要な接続設定の実施を要求する事前ハンドオーバ要求を送信する送信部と、を含む。
【図面の簡単な説明】
【００１１】
【図１】実施形態に係るＬＴＥシステムの構成図である。
【図２】実施形態に係るＵＥのブロック図である。
【図３】実施形態に係るｅＮＢのブロック図である。
【図４】実施形態に係る無線インターフェイスのプロトコルスタック図である。
【図５】実施形態に係る無線フレームの構成図である。
【図６】実施形態に係る通信制御方法の概要を説明するための図である。
【図７】実施形態に係る動作シーケンスを示す図である。
【図８】実施形態に係るＨａｎｄｏｖｅｒ  Ｒｅｑｕｅｓｔ受信時におけるｅＮＢ（ＥＳｅＮＢ）の動作フロー図である。
【図９】実施形態に係るＰｒｅＨａｎｄｏｖｅｒ  Ｒｅｑｕｅｓｔ受信時におけるｅＮＢ（エリア補完ｅＮＢ）の動作フロー図である。
【図１０】実施形態に係るハンドオーバ失敗時におけるｅＮＢ（ＥＳｅＮＢ）の動作フロー図である。
【図１１】実施形態に係るハンドオーバ失敗時におけるｅＮＢ（エリア補完ｅＮＢ）の動作フロー図である。
【図１２】実施形態の変更例２に係る動作シーケンスを示す図である。
【図１３】実施形態の変更例３に係る動作シーケンスを示す図である。
【発明を実施するための形態】
【００１２】
［実施形態の概要］
実施形態に係る通信制御方法は、自セルをオフしようとするオフ対象基地局と、前記オフ対象基地局のセルを補完するためのセル拡張を行うべき拡張対象基地局と、を有する移動通信システムにおいて用いられる。前記通信制御方法は、前記オフ対象基地局が、自セルをオフするよりも前において、ユーザ端末の受け入れを要求するハンドオーバ要求を受信するステップと、前記オフ対象基地局が、前記ハンドオーバ要求を了承する場合に、前記拡張対象基地局に対して、前記ユーザ端末との接続を確立するために必要な接続設定の実施を要求する事前ハンドオーバ要求を送信するステップと、を備える。
【００１３】
実施形態では、前記通信制御方法は、前記事前ハンドオーバ要求を受信した前記拡張対象基地局が、前記事前ハンドオーバ要求を了承する場合に、前記接続設定を実施するステップと、前記接続設定に係る接続設定情報を含んだ事前ハンドオーバ肯定応答を前記拡張対象基地局から前記オフ対象基地局に対して送信するステップと、をさらに備える。
【００１４】
実施形態では、前記拡張対象基地局で実施する前記接続設定は、前記ユーザ端末に対するＣ−ＲＮＴＩの割り当てを含む。前記接続設定情報は、前記ユーザ端末に対して割り当てられた前記Ｃ−ＲＮＴＩを含む。
【００１５】
実施形態では、前記通信制御方法は、前記事前ハンドオーバ肯定応答を受信した前記オフ対象基地局が、前記オフ対象基地局への前記ユーザ端末のハンドオーバ後において、前記接続設定情報を含んだ事前接続通知を前記ユーザ端末に対して送信するステップをさらに備える。
【００１６】
実施形態では、前記通信制御方法は、前記オフ対象基地局のセルをオフする際に、前記拡張対象基地局が前記セル拡張を開始するステップと、前記事前接続通知を受信した前記ユーザ端末が、前記接続設定情報に基づいて、前記セル拡張を開始した前記拡張対象基地局との同期をとることにより前記拡張対象基地局へ接続を切り替えるステップと、をさらに備える。
【００１７】
実施形態では、前記通信制御方法は、前記オフ対象基地局への前記ユーザ端末のハンドオーバの際に、前記ユーザ端末に対するデータパスの事前切り替えのためのデータパス事前切り替え要求を前記オフ対象基地局から前記拡張対象基地局に対して送信するステップと、前記データパス事前切り替え要求を受信した前記拡張対象基地局が、前記拡張対象基地局とコアネットワークとの間に前記データパスを設定するためのデータパス切り替え要求を前記コアネットワークに対して送信するステップと、をさらに備える。
【００１８】
実施形態では、前記通信制御方法は、前記オフ対象基地局が、前記拡張対象基地局に対して、自セルをオフする予定であることを示すオフ予告通知を送信するステップと、前記オフ予告通知を受信した前記拡張対象基地局が、前記オフ対象基地局のセルをオフするタイミングを推定するための第１のタイマを起動するステップと、をさらに備える。前記第１のタイマの満了時に、前記拡張対象基地局が前記セル拡張を開始する。
【００１９】
実施形態では、前記通信制御方法は、前記オフ予告通知を受信した前記拡張対象基地局が、前記接続設定を解放するタイミングを決定するための第２のタイマを起動するステップと、前記第２のタイマの満了時に、前記ユーザ端末が前記拡張対象基地局への接続切り替えを行っていない場合に、前記接続設定を解放するステップと、をさらに備える。
【００２０】
実施形態に係る基地局は、自セルをオフしようとするオフ対象基地局と、前記オフ対象基地局のセルを補完するためのセル拡張を行うべき拡張対象基地局と、を有する移動通信システムにおいて、前記オフ対象基地局に該当する。前記基地局は、自セルをオフするよりも前において、ユーザ端末の受け入れを要求するハンドオーバ要求を受信する受信部と、前記ハンドオーバ要求を了承する場合に、前記拡張対象基地局に対して、前記ユーザ端末との接続を確立するために必要な接続設定の実施を要求する事前ハンドオーバ要求を送信する送信部と、を含む。
【００２１】
［実施形態］
以下において、本発明をＬＴＥシステムに適用する場合の実施形態を説明する。
【００２２】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２３】
ＵＥ１００は、ユーザ端末に相当する。ＵＥ１００は、移動型の通信装置であり、セル（サービングセル）との無線通信を行う。ＵＥ１００の構成については後述する。
【００２４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための計測制御機能などを有する。「セル」は、無線通信エリアの最小単位を示す用語として使用される他に、ＵＥ１００との無線通信を行う機能を示す用語としても使用される。
【００２６】
ＥＰＣ２０は、コアネットワークに相当する。Ｅ−ＵＴＲＡＮ１０及びＥＰＣ２０は、ＬＴＥシステムのネットワークを構成する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２７】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当する。プロセッサ１６０（及びメモリ１５０）は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２８】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００２９】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示すＵＥ位置情報（経度・緯度など）を得るために、ＧＮＳＳ信号を受信して、受信した信号をプロセッサ１６０に出力する。バッテリ１４０は、ＵＥ１００の各ブロックに供給すべき電力を蓄える。
【００３０】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３１】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０は記憶部に相当する。プロセッサ２４０（及びメモリ２３０）は、制御部を構成する。
【００３２】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００３３】
ネットワークインターフェイス２２０は、Ｘ２インターフェイスを介して近隣ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３４】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３５】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３７】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００３８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００３９】
ＰＤＣＰ層は、ヘッダ圧縮・伸張、及び暗号化・復号化を行う。
【００４０】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はコネクティッド状態（ＲＲＣコネクティッド状態）であり、そうでない場合、ＵＥ１００はアイドル状態（ＲＲＣアイドル状態）である。
【００４１】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４２】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４３】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００４４】
（実施形態に係る通信制御方法）
以下において、実施形態に係る通信制御方法について説明する。
【００４５】
（１）通信制御方法の概要
実施形態に係る通信制御方法は、改良されたエナジーセービング（ＥＳ）技術に関する。具体的には、ＥＳを行うために一のセルをオフする場合に、近隣の他セルの送信電力を上昇させる。これにより、当該他セルのカバレッジを拡張（セル拡張）し、オフされるセルのカバレッジを補完（すなわち、エリア補完）することができる。
【００４６】
ここで、自セルをオフしようとするオフ対象ｅＮＢ（以下、「ＥＳｅＮＢ」という）に対して、ＵＥ１００のハンドオーバを行うケースを想定する。このようなケースでは、ＥＳｅＮＢが自セルをオフする際に、ＥＳｅＮＢから、セル拡張を行う拡張対象ｅＮＢ（以下、「エリア補完ｅＮＢ」という）に対して、改めて当該ＵＥ１００のハンドオーバを行うことが考えられる。
【００４７】
しかしながら、このような方法では、ＥＳｅＮＢからエリア補完ｅＮＢへのハンドオーバが間に合わずに、ＵＥ１００において通信断が生じる虞がある。また、上述したようなハンドオーバの繰り返しは、ハンドオーバに伴うシグナリングの増大を引き起こす。そこで、実施形態では、以下のような方法により、ＥＳ技術が導入された場合のハンドオーバを効率化する。
【００４８】
図６は、実施形態に係る通信制御方法の概要を説明するための図である。図６において、ｅＮＢ２００−２は、自セル（セル２）をオフしようとするＥＳｅＮＢに相当する。ｅＮＢ２００−３は、自セル（セル３）のセル拡張を行うエリア補完ｅＮＢに相当する。
【００４９】
図６（ａ）に示すように、ＵＥ１００−１は、ｅＮＢ２００−１のセル１に接続した状態（コネクティッド状態）である。具体的には、ＵＥ１００−１には、セル１における一時的なＵＥ識別子であるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）１がｅＮＢ２００−１から割り当てられている。ｅＮＢ２００−１は、Ｃ−ＲＮＴＩ１を用いてＵＥ１００−１との通信を制御する。
【００５０】
ＵＥ１００−１はセル１のカバレッジ及びセル２のカバレッジの重複する領域に位置しており、ｅＮＢ２００−１は、セル１からセル２へＵＥ１００−１のサービングセルを切り替えるハンドオーバを決定する。
【００５１】
図６（ｂ）に示すように、ｅＮＢ２００−２は、セル２へのＵＥ１００−１のハンドオーバ時に、セル２におけるＣ−ＲＮＴＩ２をＵＥ１００−１に割り当てる。その結果、ＵＥ１００−１は、ｅＮＢ２００−２のセル２に接続した状態になる。また、ｅＮＢ２００−３は、セル３におけるＣ−ＲＮＴＩ３をＵＥ１００−１に割り当てる。その結果、ＵＥ１００−１は、Ｃ−ＲＮＴＩ２に対応するＲＲＣ接続をｅＮＢ２００−２と確立するとともに、Ｃ−ＲＮＴＩ３に対応するＲＲＣ接続をｅＮＢ２００−３と確立した状態になる。
【００５２】
図６（ｃ）に示すように、ｅＮＢ２００−２がセル２をオフすることによりＥＳ状態に移行し、かつ、ｅＮＢ２００−３がセル３を拡張することによりエリア補完を行う。ＵＥ１００−１は、Ｃ−ＲＮＴＩ３に対応するＲＲＣ接続を既にｅＮＢ２００−３と確立しているため、下位レイヤ（物理層及びＭＡＣ層など）での接続処理、具体的には、ｅＮＢ２００−３との同期をとることにより、ｅＮＢ２００−３との通信が可能な状態になる。なお、このような下位レイヤのみの接続処理を図面中「再同期」と表記する。
【００５３】
このような通信制御方法によれば、ＥＳｅＮＢ（ｅＮＢ２００−２）からエリア補完ｅＮＢ（ｅＮＢ２００−３）へのハンドオーバが間に合わずに通信断が生じる問題を回避できるとともに、ハンドオーバに伴うシグナリングの増大を回避できる。
【００５４】
（２）動作シーケンス
図７は、上述した通信制御方法に係る動作シーケンスを示す図である。図７の初期状態において、ｅＮＢ２００−１は、所定時間後に自セル（セル２）をオフすることを決定しており、自セル（セル２）をオフするＥＳ状態へ移行する途中である。
【００５５】
図７に示すように、ステップＳ１０１において、ＵＥ１００−１とＭＭＥ／Ｓ−ＧＷ３００との間にデータパスが設定されており、当該データパスを介してデータを送受信する。ステップＳ１０２において、ＵＥ１００−１は、サービングセル（セル１）及び近隣セル（セル２）の測定結果を示すＭｅａｓｕｒｅｍｅｎｔ  ＲｅｐｏｒｔをｅＮＢ２００−１に送信する。Ｍｅａｓｕｒｅｍｅｎｔ  Ｒｅｐｏｒｔを受信したｅＮＢ２００−１は、当該受信したＭｅａｓｕｒｅｍｅｎｔ  Ｒｅｐｏｒｔに基づいて、セル２へのＵＥ１００−１のハンドオーバを決定する。ステップＳ１０３において、ｅＮＢ２００−１は、ＵＥ１００−１の受け入れを要求するＨａｎｄｏｖｅｒ  Ｒｅｑｕｅｓｔ（ハンドオーバ要求）をｅＮＢ２００−２に送信する。
【００５６】
ステップＳ１０４において、Ｈａｎｄｏｖｅｒ  Ｒｅｑｕｅｓｔを受信したｅＮＢ２００−２は、当該受信したＨａｎｄｏｖｅｒ  Ｒｅｑｕｅｓｔを了承する場合に、ｅＮＢ２００−３に対して、ＵＥ１００−１との接続を確立するために必要な接続設定の実施を要求するＰｒｅＨａｎｄｏｖｅｒ  Ｒｅｑｕｅｓｔ（事前ハンドオーバ要求）を送信する。ＰｒｅＨａｎｄｏｖｅｒ  Ｒｅｑｕｅｓｔを受信したｅＮＢ２００−３は、ＰｒｅＨａｎｄｏｖｅｒ  Ｒｅｑｕｅｓｔを了承する場合に、接続設定を実施する。ｅＮＢ２００−３で実施する接続設定は、ＵＥ１００−１に対するＣ−ＲＮＴＩ３の割り当てを含む。
【００５７】
ステップＳ１０５において、ｅＮＢ２００−３は、接続設定に係る接続設定情報（ＣＲＮＴＩ３など）を含んだＰｒｅＨａｎｄｏｖｅｒ  Ｒｅｑｕｅｓｔ  Ａｃｋ（事前ハンドオーバ肯定応答）をｅＮＢ２００−２に送信する。ステップＳ１０６において、ＰｒｅＨａｎｄｏｖｅｒ  Ｒｅｑｕｅｓｔ  Ａｃｋを受信したｅＮＢ２００−２は、Ｈａｎｄｏｖｅｒ  Ｒｅｑｕｅｓｔ  Ａｃｋ（ハンドオーバ肯定応答）をｅＮＢ２００−１に送信する。ステップＳ１０７において、Ｈａｎｄｏｖｅｒ  Ｒｅｑｕｅｓｔ  Ａｃｋを受信したｅＮＢ２００−１は、セル２へのハンドオーバに必要な情報を含んだハンドオーバ指令をＵＥ１００−１に送信する。
【００５８】
ステップＳ１０８において、ｅＮＢ２００−１は、ＵＥ１００−１との送受信データに関するＳＮ  Ｓｔａｔｕｓ  ＴｒａｎｓｆｅｒをｅＮＢ２００−２に送信する。ステップＳ１０９において、ＳＮ  Ｓｔａｔｕｓ  Ｔｒａｎｓｆｅｒを受信したｅＮＢ２００−２は、当該受信したＳＮ  Ｓｔａｔｕｓ  ＴｒａｎｓｆｅｒをｅＮＢ２００−３に転送する。ステップＳ１１０において、ｅＮＢ２００−１は、ＵＥ１００−１への未送信データを含んだＤａｔａ  ＦｏｒｗａｒｄｉｎｇをｅＮＢ２００−２に送信する。ステップＳ１１１において、Ｄａｔａ  Ｆｏｒｗａｒｄｉｎｇを受信したｅＮＢ２００−２は、当該受信したＤａｔａ  ＦｏｒｗａｒｄｉｎｇをｅＮＢ２００−３に転送する。
【００５９】
ステップＳ１１２乃至Ｓ１１４において、ＵＥ１００−１は、ハンドオーバ指令に基づいて、ｅＮＢ２００−２との接続を確立するための非競合ベース・ランダムアクセス手順を行う。具体的には、ステップＳ１１２において、ＵＥ１００−１は、ハンドオーバ指令により指定されたランダムアクセスプリアンブルをランダムアクセスチャネル（Ｒａｃｈ）上でｅＮＢ２００−２に送信する。ステップＳ１１３において、ランダムアクセスプリアンブルを受信したｅＮＢ２００−２は、上りリンクタイミング補正値及びＣ−ＲＮＴＩ２等を含んだランダムアクセス応答をＵＥ１００−１に送信する。ランダムアクセス応答を受信したＵＥ１００−１は、ＲＲＣ接続の確立を要求する接続要求（いわゆる、Ｍｓｇ３）をｅＮＢ２００−２に送信する。その結果、ＵＥ１００−１とｅＮＢ２００−２との間でＲＲＣ接続が確立し、ハンドオーバが完了する。
【００６０】
ステップＳ１１５において、ｅＮＢ２００−２は、ＵＥ１００−１に対するデータパスの事前切り替えのためのＰａｓｓ  Ｓｗｉｔｃｈ  Ｎｏｔｉｃｅ（データパス事前切り替え要求）をｅＮＢ２００−３に送信する。
【００６１】
ステップＳ１１６において、Ｐａｓｓ  Ｓｗｉｔｃｈ  Ｎｏｔｉｃｅを受信したｅＮＢ２００−３は、ｅＮＢ２００−３とＭＭＥ／Ｓ−ＧＷ３００との間にデータパスを設定するためのＰａｔｈ  Ｓｗｉｔｃｈ  Ｒｅｑｕｅｓｔ（データパス切り替え要求）をＭＭＥ／Ｓ−ＧＷ３００に送信する。ｅＮＢ２００−３からＰａｔｈ  Ｓｗｉｔｃｈ  Ｒｅｑｕｅｓｔを受信したＭＭＥ／Ｓ−ＧＷ３００は、ＵＥ１００−１に対するデータパスを、ｅＮＢ２００−１からｅＮＢ２００−２に切り替えるのではなく、ｅＮＢ２００−１からｅＮＢ２００−３に切り替える。その結果、ＵＥ１００−１とＭＭＥ／Ｓ−ＧＷ３００との間には、ｅＮＢ２００−２及びｅＮＢ２００−３を経由するデータパスが設定される。ステップＳ１１７において、当該データパスを介してデータを送受信する。
【００６２】
ステップＳ１１８において、ｅＮＢ２００−２は、ｅＮＢ２００−３の接続設定情報（Ｃ−ＲＮＴＩ３など）を含んだ事前接続通知をＵＥ１００−１に送信する。事前接続通知は、Ｃ−ＲＮＴＩ３に対応するセル３のセルＩＤをさらに含む。ＵＥ１００−１にＣ−ＲＮＴＩ３が割り当てられることにより、ＵＥ１００−１は、ｅＮＢ２００−３とのＲＲＣ接続を確立する。
【００６３】
ステップＳ１１９において、ｅＮＢ２００−２は、自セル（セル２）をオフ、すなわち停波することにより、ＥＳ状態へ移行する。また、セル２をオフする際に、ｅＮＢ２００−３は、セル３のセル拡張を開始する。ＵＥ１００−１は、セル２の参照信号を検知できなくなり、セル３の参照信号を検知する。
【００６４】
ステップＳ１２０において、ＵＥ１００−１は、ｅＮＢ２００−３の接続設定情報（Ｃ−ＲＮＴＩ３）に基づいて、セル３（ｅＮＢ２００−３）との同期をとることによりｅＮＢ２００−３とのＲＲＣ接続へ切り替える。ここで、通信接続をするためにＵＥ１００−１からステップＳ１１２乃至Ｓ１１４と同様の手順を行う。これにより、ＵＥ１００−１は、サービングセルをセル２からセル３に切り替える。
【００６５】
ステップＳ１２１において、ｅＮＢ２００−３は、ＵＥ１００−１との同期が完了したことを示す通知をｅＮＢ２００−２に送信する。ステップＳ１２２において、当該通知を受信したｅＮＢ２００−２は、ＳＮ  Ｓｔａｔｕｓ  ＴｒａｎｓｆｅｒをｅＮＢ２００−３に送信する。その結果、ＵＥ１００−１とＭＭＥ／Ｓ−ＧＷ３００との間には、ｅＮＢ２００−２を経由せずにｅＮＢ２００−３を経由するデータパスが設定される。ステップＳ１２３において、当該データパスを介してデータを送受信する。
【００６６】
なお、ステップＳ１０５乃至Ｓ１２３はｅＮＢ２００−３においてＵＥ１００−１の受け入れが可能である場合の動作であるが、ｅＮＢ２００−３においてＵＥ１００−１の受け入れが不可である場合には、ＰｒｅＨａｎｄｏｖｅｒ  Ｒｅｑｕｅｓｔを受信したｅＮＢ２００−３は、ＰｒｅＨａｎｄｏｖｅｒ  Ｒｅｑｕｅｓｔを拒否する旨のＰｒｅＨａｎｄｏｖｅｒ  Ｐｒｅｐａｒａｔｉｏｎ  ｆａｉｌｕｒｅをｅＮＢ２００−２に送信する（ステップＳ１２４）。ＰｒｅＨａｎｄｏｖｅｒ  Ｐｒｅｐａｒａｔｉｏｎ  ｆａｉｌｕｒｅを受信したｅＮＢ２００−２は、ハンドオーバの拒否する旨のＨａｎｄｏｖｅｒ  Ｐｒｅｐａｒａｔｉｏｎ  ｆａｉｌｕｒｅをｅＮＢ２００−１に送信する（ステップＳ１２５）。
【００６７】
（３）動作フロー
次に、上述した動作シーケンスに係る各ｅＮＢ２００の動作フローを説明する。
【００６８】
図８は、ｅＮＢ２００−１からのＨａｎｄｏｖｅｒ  Ｒｅｑｕｅｓｔ受信時におけるｅＮＢ２００−２の動作フロー図である。
【００６９】
図８に示すように、ｅＮＢ２００−２は、Ｈａｎｄｏｖｅｒ  Ｒｅｑｕｅｓｔを受信し（ステップＳ１２０１）、Ｈａｎｄｏｖｅｒ  Ｒｅｑｕｅｓｔを了承するか否かを判断する（ステップＳ１２０２）。Ｈａｎｄｏｖｅｒ  Ｒｅｑｕｅｓｔを了承しない場合（ステップＳ１２０２；ＮＯ）、ｅＮＢ２００−２は、Ｈａｎｄｏｖｅｒ  Ｐｒｅｐａｒａｔｉｏｎ  ｆａｉｌｕｒｅをｅＮＢ２００−１に送信する（ステップＳ１２０３）。
【００７０】
Ｈａｎｄｏｖｅｒ  Ｒｅｑｕｅｓｔを了承する場合（ステップＳ１２０２；ＹＥＳ）、ｅＮＢ２００−２は、ＥＳ状態へ移行する途中であるか否かを判断する（ステップＳ１２０４）。ＥＳ状態へ移行する途中ではない場合（ステップＳ１２０４；ＮＯ）、ｅＮＢ２００−２は、Ｈａｎｄｏｖｅｒ  Ｒｅｑｕｅｓｔ  ＡｃｋをｅＮＢ２００−１に送信する（ステップＳ１２０５）。
【００７１】
ＥＳ状態へ移行する途中である場合（ステップＳ１２０４；ＹＥＳ）、ｅＮＢ２００−２は、エリア補完ｅＮＢであるｅＮＢ２００−３に対してＰｒｅＨａｎｄｏｖｅｒ  Ｒｅｑｕｅｓｔを送信し（ステップＳ１２１１）、ｅＮＢ２００−３から応答を受信する（ステップＳ１２１２）。
【００７２】
当該応答がＰｒｅＨａｎｄｏｖｅｒ  Ｒｅｑｕｅｓｔ  Ａｃｋではない場合（ステップＳ１２１３；ＮＯ）、ｅＮＢ２００−２は、Ｈａｎｄｏｖｅｒ  Ｐｒｅｐａｒａｔｉｏｎ  ｆａｉｌｕｒｅをｅＮＢ２００−１に送信する（ステップＳ１２１４）。これに対し、当該応答がＰｒｅＨａｎｄｏｖｅｒ  Ｒｅｑｕｅｓｔ  Ａｃｋである場合（ステップＳ１２１３；ＹＥＳ）、ｅＮＢ２００−２は、Ｈａｎｄｏｖｅｒ  Ｒｅｑｕｅｓｔ  ＡｃｋをｅＮＢ２００−１に送信する（ステップＳ１２１５）。
【００７３】
図９は、ｅＮＢ２００−２からのＰｒｅＨａｎｄｏｖｅｒ  Ｒｅｑｕｅｓｔ受信時におけるｅＮＢ２００−３の動作フロー図である。
【００７４】
図９に示すように、ｅＮＢ２００−３は、ＰｒｅＨａｎｄｏｖｅｒ  Ｒｅｑｕｅｓｔを受信し（ステップＳ１３０１）、ＰｒｅＨａｎｄｏｖｅｒ  Ｒｅｑｕｅｓｔを了承するか否かを判断する（ステップＳ１３０２）。ＰｒｅＨａｎｄｏｖｅｒ  Ｒｅｑｕｅｓｔを了承しない場合（ステップＳ１３０２；ＮＯ）、ｅＮＢ２００−３は、ＰｒｅＨａｎｄｏｖｅｒ  Ｐｒｅｐａｒａｔｉｏｎ  ｆａｉｌｕｒｅをｅＮＢ２００−２に送信する（ステップＳ１３０３）。これに対し、ＰｒｅＨａｎｄｏｖｅｒ  Ｒｅｑｕｅｓｔを了承する場合（ステップＳ１３０２；ＹＥＳ）、ｅＮＢ２００−３は、ＰｒｅＨａｎｄｏｖｅｒ  Ｒｅｑｕｅｓｔ  ＡｃｋをｅＮＢ２００−２に送信する（ステップＳ１３０４）。
【００７５】
［変更例１］
上述した実施形態では、ｅＮＢ２００−１（セル１）からｅＮＢ２００−２（セル２）へのＵＥ１００−１のハンドオーバが失敗するケースについて触れなかったが、ハンドオーバ失敗時には以下のように動作する。
【００７６】
図１０は、ハンドオーバ失敗時におけるｅＮＢ２００−２の動作フロー図である。
【００７７】
図１０に示すように、ｅＮＢ２００−２は、自セル（セル２）へのＵＥ１００−１のハンドオーバ失敗を検知した場合（ステップＳ１２２１；ＹＥＳ）、ｅＮＢ２００−３（エリア補完ｅＮＢ）からのＰｒｅＨａｎｄｏｖｅｒ  Ｒｅｑｕｅｓｔ  Ａｃｋを受信済みであるか否かを判断する（ステップＳ１２２２）。ＰｒｅＨａｎｄｏｖｅｒ  Ｒｅｑｕｅｓｔ  Ａｃｋを受信済みである場合（ステップＳ１２２２；ＹＥＳ）、ｅＮＢ２００−２は、ハンドオーバ取り止めを示すＰｒｅＨａｎｄｏｖｅｒ  ＣａｎｃｅｌをｅＮＢ２００−３に送信する（ステップＳ１２２３）。
【００７８】
図１１は、ハンドオーバ失敗時におけるｅＮＢ２００−３の動作フロー図である。
【００７９】
図１１に示すように、ｅＮＢ２００−３は、ｅＮＢ２００−２からのＰｒｅＨａｎｄｏｖｅｒ  Ｃａｎｃｅｌを受信し（ステップＳ１３１１）、ＵＥ１００−１のために確保したリソース（Ｃ−ＲＮＴＩ３など）があるか否かを判断する（ステップＳ１３１２）。当該リソースがある場合（ステップＳ１３１２；ＹＥＳ）、ｅＮＢ２００−３は、当該リソースを解放する（ステップＳ１３１３）。
【００８０】
［変更例２］
上述した実施形態では、エリア補完ｅＮＢが複数存在するケースについて触れなかったが、複数のエリア補完ｅＮＢが設定されている場合、ｅＮＢ２００−２は、当該複数のエリア補完ｅＮＢに対してＰｒｅＨａｎｄｏｖｅｒ  Ｒｅｑｕｅｓｔを送信する。或いは、複数のエリア補完ｅＮＢのうちＵＥ１００−１が接続する可能性が高いエリア補完ｅＮＢに対してのみＰｒｅＨａｎｄｏｖｅｒ  Ｒｅｑｕｅｓｔを送信してもよい。
【００８１】
図１２は、複数のエリア補完ｅＮＢ（ｅＮＢ２００−３、ｅＮＢ２００−４）が設定されている場合における動作シーケンスを示す図である。ここでは、上述した実施形態に係る動作シーケンス（図７）との相違点について説明する。
【００８２】
図１２に示すように、複数のエリア補完ｅＮＢ（ｅＮＢ２００−３、ｅＮＢ２００−４）が設定されている場合、ｅＮＢ２００−２は、ＰｒｅＨａｎｄｏｖｅｒ  ＲｅｑｕｅｓｔをｅＮＢ２００−３及びｅＮＢ２００−４に送信する（ステップＳ１０４）。ｅＮＢ２００−３及びｅＮＢ２００−４のそれぞれは、ＰｒｅＨａｎｄｏｖｅｒ  Ｒｅｑｕｅｓｔを了承する場合に、ＰｒｅＨａｎｄｏｖｅｒ  Ｒｅｑｕｅｓｔ  ＡｃｋをｅＮＢ２００−２に送信する。
【００８３】
また、複数のエリア補完ｅＮＢ（ｅＮＢ２００−３、ｅＮＢ２００−４）が設定されている場合、ｅＮＢ２００−２は、ＳＮ  Ｓｔａｔｕｓ  ＴｒａｎｓｆｅｒをｅＮＢ２００−３及びｅＮＢ２００−４に送信し（ステップＳ１０９）、Ｄａｔａ  ＦｏｒｗａｒｄｉｎｇをｅＮＢ２００−３及びｅＮＢ２００−４に送信する（ステップＳ１１１）。
【００８４】
但し、Ｐａｓｓ  Ｓｗｉｔｃｈ  Ｎｏｔｉｃｅについては、ｅＮＢ２００−２は、ｅＮＢ２００−３及びｅＮＢ２００−４のうち何れか一方（ここでは、ｅＮＢ２００−３）にのみ送信する（ステップＳ１１５）。その結果、ｅＮＢ２００−３とＭＭＥ／Ｓ−ＧＷ３００との間にデータパスが設定される。
【００８５】
ここで、ＵＥ１００−１がｅＮＢ２００−３ではなくｅＮＢ２００−４との同期をとることにより、ＵＥ１００−１がｅＮＢ２００−４とのＲＲＣ接続に切り替えた場合（ステップＳ１２０）、ｅＮＢ２００−４は、ＵＥ１００−１との同期が完了したことを示す通知をｅＮＢ２００−２に送信する（ステップＳ１２１）。
【００８６】
この場合、ｅＮＢ２００−２は、ＳＮ  Ｓｔａｔｕｓ  ＴｒａｎｓｆｅｒをｅＮＢ２００−４に送信し（ステップＳ１２２）、Ｐａｓｓ  Ｓｗｉｔｃｈ  ＮｏｔｉｃｅをｅＮＢ２００−４に送信する（ステップＳ２０１）。Ｐａｓｓ  Ｓｗｉｔｃｈ  Ｎｏｔｉｃｅを受信したｅＮＢ２００−４は、Ｐａｔｈ  Ｓｗｉｔｃｈ  ＲｅｑｕｅｓｔをＭＭＥ／ＳＧＷ３００に送信する（ステップＳ２０２）。ｅＮＢ２００−４からＰａｔｈ  Ｓｗｉｔｃｈ  Ｒｅｑｕｅｓｔを受信したＭＭＥ／Ｓ−ＧＷ３００は、ＵＥ１００−１に対するデータパスを、ｅＮＢ２００−３からｅＮＢ２００−４に切り替える（ステップＳ１２３）。
【００８７】
なお、図１２の動作シーケンスは、以下のように変更してもよい。
【００８８】
具体的には、ｅＮＢ２００−４は、ＵＥ１００−１との同期が完了したことを示す通知を、ｅＮＢ２００−２だけでなくｅＮＢ２００−３にも送信する。当該通知を受信したｅＮＢ２００−３は、ＳＮ  Ｓｔａｔｕｓ  ＴｒａｎｓｆｅｒをｅＮＢ２００−４に送信する。そして、ＳＮ  Ｓｔａｔｕｓ  Ｔｒａｎｓｆｅｒを受信したｅＮＢ２００−４は、Ｐａｔｈ  Ｓｗｉｔｃｈ  ＲｅｑｕｅｓｔをＭＭＥ／Ｓ−ＧＷ３００に送信する。その結果、ＭＭＥ／Ｓ−ＧＷ３００は、ＵＥ１００−１に対するデータパスを、ｅＮＢ２００−３からｅＮＢ２００−４に切り替える。
【００８９】
［変更例３］
変更例３では、エリア補完ｅＮＢであるｅＮＢ２００−３がセル拡張を行うタイミング等を決定するための方法について説明する。図１３は、変更例３に係る動作シーケンスを示す図である。図１３において、ＵＥ１００−１乃至ＵＥ１００−３は、ｅＮＢ２００−１（セル１）からｅＮＢ２００−２（セル２）へのハンドオーバを行うＵＥである。
【００９０】
図１３に示すように、ステップＳ３０１において、ｅＮＢ２００−２は、ｅＮＢ２００−３に対して、自セル（セル２）をオフする予定であることを示すＥＳ  Ｒｅｑｕｅｓｔ（オフ予告通知）を送信する。
【００９１】
ステップＳ３０２において、ＥＳ  Ｒｅｑｕｅｓｔを受信したｅＮＢ２００−３は、ＥＳ  Ｒｅｑｕｅｓｔ  ＡｃｋをｅＮＢ２００−２に送信する。
【００９２】
ステップＳ３０３において、ｅＮＢ２００−３は、ｅＮＢ２００−２のセル２をオフするタイミング（以下、「オフタイミング」という）を推定するためのタイマｔ１と、接続設定（Ｃ−ＲＮＴＩ３など）を解放するタイミング（以下、「解放タイミング」という）を決定するためのタイマｔ２と、を起動する。
【００９３】
なお、ＥＳ  Ｒｅｑｕｅｓｔは、オフタイミング或いはセル拡張開始タイミングを示す値ｔ１（タイマ値、時刻など）を含んでいてもよい。この場合、ｅＮＢ２００−３は、当該値ｔ１をタイマｔ１に設定し、タイマｔ１を起動する。
【００９４】
また、ＥＳ  Ｒｅｑｕｅｓｔは、解放タイミングを示す値ｔ２（タイマ値、時刻など）を含んでいてもよい。この場合、ｅＮＢ２００−３は、当該値ｔ２をタイマｔ２に設定し、タイマｔ２を起動する。
【００９５】
さらに、ＥＳ  Ｒｅｑｕｅｓｔは、セル拡張を終了するタイミングを示す値ｔ３（タイマ値、時刻など）を含んでいてもよい。この場合、ｅＮＢ２００−３は、当該値ｔ３をタイマｔ３に設定し、タイマｔ３を起動する。
【００９６】
ステップＳ３０４、Ｓ３０５、Ｓ３０７において、ＵＥ１００−１乃至ＵＥ１００−３は、上述した実施形態に係る動作シーケンスにより、ｅＮＢ２００−２（及びｅＮＢ２００−３）とのＲＲＣ接続を確立する。かかる動作シーケンスにおいて、ｅＮＢ２００−２は、ｅＮＢ２００−３の接続設定情報（Ｃ−ＲＮＴＩ３など）を含んだ事前接続通知をＵＥ１００−１乃至ＵＥ１００−３に送信する際に、解放タイミングを示す値ｔ２をＵＥ１００−１乃至ＵＥ１００−３に通知してもよい。
【００９７】
ステップＳ３０６において、ｅＮＢ２００−３は、タイマｔ１の満了時に、セル３の拡張（エリア拡張）を開始する。
【００９８】
ステップＳ３０８及びＳ３０９において、ＵＥ１００−１及びＵＥ１００−２は、ｅＮＢ２００−３（セル３）との同期をとることによりｅＮＢ２００−３とのＲＲＣ接続に切り替える。
【００９９】
ステップＳ３１０において、ｅＮＢ２００−３は、タイマｔ２の満了時に、ｅＮＢ２００−３への接続切り替えを行っていないＵＥ１００−３について、接続設定（Ｃ−ＲＮＴＩ３など）を解放する。ＵＥ１００−３においても同様に接続設定（Ｃ−ＲＮＴＩ３など）を解放する。
【０１００】
［その他の実施形態］
上述した実施形態では、ハンドオーバ元ｅＮＢがエリア補完ｅＮＢであるケースを考慮していなかった。しかしながら、ハンドオーバ元ｅＮＢがエリア補完ｅＮＢであるケースでは、上述した実施形態に係る動作を次のように変更する。具体的には、図６において、ハンドオーバ元ｅＮＢ（セル１）におけるＣ−ＲＮＴＩ１とエリア補完ｅＮＢ（セル３）におけるＣ−ＲＮＴＩ３とがあるが、エリア補完ｅＮＢ＝ハンドオーバ元ｅＮＢ（セル３＝セル１）となる場合には、Ｃ−ＲＮＴＩ３＝Ｃ−ＲＮＴＩ１と読み替える。この場合、ＥＳｅＮＢ（セル２）からのＨａｎｄｏｖｅｒ  Ｒｅｑｕｅｓｔに対して、Ｈａｎｄｏｖｅｒ  Ｒｅｑｕｅｓｔ  ＡｃｋでＣ−ＲＮＴＩ１を返してもよい。
【０１０１】
上述した実施形態では、移動通信システムの一例としてＬＴＥシステムを説明したが、ＬＴＥシステムに限定されるものではなく、ＬＴＥシステム以外のシステムに本発明を適用してもよい。
【０１０２】
なお、本願は２０１３年１１月２６日付けの特願２０１３−２４４２６０の優先権を主張し、その内容の全てが本明細書に組み込まれている。
【産業上の利用可能性】
【０１０３】
本発明は、移動通信等の無線通信分野において有用である。
【図１】
2015080039.tif 000003
【図２】
2015080039.tif 000004
【図３】
2015080039.tif 000005
【図４】
2015080039.tif 000006
【図５】
2015080039.tif 000007
【図６】
2015080039.tif 000008
【図７】
2015080039.tif 000009
【図８】
2015080039.tif 000010
【図９】
2015080039.tif 000011
【図１０】
2015080039.tif 000012
【図１１】
2015080039.tif 000013
【図１２】
2015080039.tif 000014
【図１３】
2015080039.tif 000015
【国際調査報告】
2015080039.tif 000016
2015080039.tif 000017